(57)【要約】【課題】軸方向に振るだけで簡単に筆記状態にすることができ、且つ、不必要に筆記状態になるのを防止できる筆記具を提供する。【解決手段】筆記具１０は、ボディ１１内の後端部に固定された固定部材６０と、固定部材６０に対して軸方向に移動可能に係合した可動部材７０と、を有するリフィル進退切替機構５０を備える。リフィル進退切替機構５０は、収容状態においては、スライド係止部７２により一対の係止片６４を拡開させてリフィル２０の後端部を両係止片間に受け入れるとともに、コイルスプリング１２の力でリフィル２０を収容時リフィル当接部６２に当接させた状態に保ち、筆記状態においては、スライド係止部７２による一対の係止片６４の拡開が解除されることにより、リフィル２０を筆記時リフィル当接部６１に当接させた状態に保つ。【選択図】図１
0003230784.tif 000002
【実用新案登録請求の範囲】
【請求項１】
筒状のボディと、
前記ボディ内に軸方向に移動可能に収容された円柱状のリフィルと、
前記リフィルを前記ボディの後端側に常時付勢するべく前記ボディ内の先端側に設けられたコイルスプリングと、
前記リフィルの軸方向の中間部に固定された第一の錘衝突部と、
前記ボディ内の後端部に設けられた第二の錘衝突部と、
前記第一の錘衝突部と前記第二の錘衝突部との間に軸方向に移動可能に設けられた錘とを備え、
前記錘を前記第一の錘衝突部に衝突させることにより、前記リフィルの先端部が前記ボディの先端から突出した筆記状態にするとともに、前記錘を前記第二の錘衝突部に衝突させることにより、前記リフィルの先端部が前記ボディ内に収容された収容状態にすることを可能にした筆記具であって、
前記ボディ内の後端部に固定された固定部材と、
前記固定部材に対して軸方向に移動可能に係合した可動部材と、を有するリフィル進退切替機構を備え、
前記固定部材は、
前記収容状態のときに前記リフィルの後端が当接する収容時リフィル当接部と、
前記筆記状態のときに前記リフィルの後端が当接する筆記時リフィル当接部と、を有し、
前記筆記時リフィル当接部は、前記収容時リフィル当接部から前記ボディの先端側に延び且つ前記ボディの径方向に弾力的に拡開可能に形成された一対の係止片の先端部により構成され、
前記可動部材は、前記第二の錘衝突部として機能するフランジ部と、
前記一対の係止片に挟まれた状態で前記フランジ部と共に軸方向に摺動するスライド係止部と、を有し、
前記フランジ部には、前記リフィルの後端部が軸方向に移動可能に挿通された貫通孔が設けられており、
前記収容状態においては、前記スライド係止部により前記一対の係止片を拡開させて前記リフィルの後端部を両係止片間に受け入れるとともに、前記コイルスプリングの力で前記リフィルを前記収容時リフィル当接部に当接させた状態に保ち、
前記筆記状態においては、前記スライド係止部による前記一対の係止片の拡開が解除されることにより、前記リフィルを前記筆記時リフィル当接部に当接させた状態に保つように構成したことを特徴とする筆記具。
【請求項２】
前記リフィル進退切替機構を構成する前記固定部材及び前記可動部材は、ポリアセタール樹脂からなる成形品であり、
前記スライド係止部は、前記フランジ部の径方向外側両端部から前記収容時リフィル当接部側に延びる一対の係合片を有し、
前記一対の係止片の先端部には、互いに近接する側に膨出して対向するとともに各係止片の幅方向両側に張り出して前記一対の係合片と摺接する係止突部が設けられており、
前記一対の係合片は、前記筆記状態のときに前記係止突部に係止される係合部と、前記係止突部と摺接するテーパ部とを有し、
前記筆記時リフィル当接部は、前記軸方向と直交する平坦面として形成されると共に、前記係止突部の前記テーパ部との摺接面は、前記固定部材と前記可動部材との相対的移動方向に曲率を有する凸曲面になっており、
前記可動部材が前記固定部材の前記収容時リフィル当接部側に押されることにより、前記テーパ部が前記係止突部に対して摺動しつつ前記一対の係止片を拡開させ、前記筆記時リフィル当接部に当接している前記リフィルの後端部を両係止片間に受け入れ可能とする、請求項１記載の筆記具。
【請求項３】
筒状のボディと、
前記ボディ内に軸方向に移動可能に収容された円柱状のリフィルと、
前記リフィルを前記ボディの後端側に常時付勢するべく前記ボディ内の先端側に設けられたコイルスプリングと、
前記リフィルの軸方向の中間部に固定された第一の錘衝突部と、
前記ボディ内の後端部に設けられた第二の錘衝突部と、
前記第一の錘衝突部と前記第二の錘衝突部との間に軸方向に移動可能に設けられた錘とを備え、
前記錘を前記第一の錘衝突部に衝突させることにより、前記リフィルの先端部が前記ボディの先端から突出した筆記状態にするとともに、前記錘を前記第二の錘衝突部に衝突させることにより、前記リフィルの先端部が前記ボディ内に収容された収容状態にすることを可能にした筆記具に装備されるリフィル進退切替機構であって、
前記ボディ内の後端部に固定された固定部材と、
前記固定部材に対して軸方向に移動可能に係合した可動部材と、を有し、
前記固定部材は、
前記収容状態のときに前記リフィルの後端が当接する収容時リフィル当接部と、
前記筆記状態のときに前記リフィルの後端が当接する筆記時リフィル当接部と、を有し、
前記筆記時リフィル当接部は、前記収容時リフィル当接部から前記ボディの先端側に延び且つ前記ボディの径方向に弾力的に拡開可能に形成された一対の係止片の先端部により構成され、
前記可動部材は、前記第二の錘衝突部として機能するフランジ部と、
前記一対の係止片に挟まれた状態で前記フランジ部と共に軸方向に摺動するスライド係止部と、を有し、
前記フランジ部には、前記リフィルの後端部が軸方向に移動可能に挿通された貫通孔が設けられており、
前記収容状態においては、前記スライド係止部により前記一対の係止片を拡開させて前記リフィルの後端部を両係止片間に受け入れるとともに、前記コイルスプリングの力で前記リフィルを前記リフィル当接部に当接させた状態に保ち、
前記筆記状態においては、前記スライド係止部による前記一対の係止片の拡開が解除されることにより、前記リフィルを前記筆記時リフィル当接部に当接させた状態に保つように構成したことを特徴とするリフィル進退切替機構。
【請求項４】
前記固定部材及び前記可動部材は、ポリアセタール樹脂からなる成形品であり、
前記スライド係止部は、前記フランジ部の径方向外側両端部から前記収容時リフィル当接部側に延びる一対の係合片を有し、
前記一対の係止片の先端部には、互いに近接する側に膨出して対向するとともに各係止片の幅方向両側に張り出して前記一対の係合片と摺接する係止突部が設けられており、
前記一対の係合片は、前記筆記状態のときに前記係止突部に係止される係合部と、前記係止突部と摺接するテーパ部とを有し、
前記筆記時リフィル当接部は、前記軸方向と直交する平坦面として形成されると共に、前記係止突部の前記テーパ部との摺接面は、前記固定部材と前記可動部材との相対的移動方向に曲率を有する凸曲面になっており、
前記可動部材が前記固定部材の前記収容時リフィル当接部側に押されることにより、前記テーパ部が前記係止突部に対して摺動しつつ前記一対の係止片を拡開させ、前記筆記時リフィル当接部に当接している前記リフィルの後端部を両係止片間に受け入れ可能とする、請求項３記載のリフィル進退切替機構。
【考案の詳細な説明】
【技術分野】
【０００１】
本考案は、リフィルの先端部がボディから出没する構造の筆記具及びリフィル進退切替機構に関する。
【背景技術】
【０００２】
従来、軸方向に振ることでリフィルの先端部をボディから出没させて筆記状態又は収納状態にする筆記具が知られている（特許文献１）。
【先行技術文献】
【特許文献】
【０００３】
【特許文献１】実登３１６５７１２号
【考案の概要】
【考案が解決しようとする課題】
【０００４】
特許文献１の筆記具は、軸方向に振るだけで簡単に筆記状態にすることができる。
【０００５】
しかし、その反面、収容状態にした筆記具が、軸方向の少しの振動によっても筆記状態すなわち、リフィルの先端部がボディから突出した状態になってしまうという問題があった。
【０００６】
そこで、本考案は、軸方向に振るだけで簡単に筆記状態にすることができ、且つ、不必要に筆記状態になってしまうのを防止できる筆記具及びリフィル進退切替機構を提供する。
【課題を解決するための手段】
【０００７】
請求項１の筆記具は、筒状のボディと、前記ボディ内に軸方向に移動可能に収容された円柱状のリフィルと、前記リフィルを前記ボディの後端側に常時付勢するべく前記ボディ内の先端側に設けられたコイルスプリングと、前記リフィルの軸方向の中間部に固定された第一の錘衝突部と、前記ボディ内の後端部に設けられた第二の錘衝突部と、前記第一の錘衝突部と前記第二の錘衝突部との間に軸方向に移動可能に設けられた錘とを備え、前記錘を前記第一の錘衝突部に衝突させることにより、前記リフィルの先端部が前記ボディの先端から突出した筆記状態にするとともに、前記錘を前記第二の錘衝突部に衝突させることにより、前記リフィルの先端部が前記ボディ内に収容された収容状態にすることを可能にした筆記具であって、前記ボディ内の後端部に固定された固定部材と、前記固定部材に対して軸方向に移動可能に係合した可動部材と、を有するリフィル進退切替機構を備え、前記固定部材は、前記収容状態のときに前記リフィルの後端が当接する収容時リフィル当接部と、前記筆記状態のときに前記リフィルの後端が当接する筆記時リフィル当接部と、有し、前記筆記時リフィル当接部は、前記収容時リフィル当接部から前記ボディの先端側に延び且つ前記ボディの径方向に弾力的に拡開可能に形成された一対の係止片の先端部により構成され、前記可動部材は、前記第二の錘衝突部として機能するフランジ部と、前記一対の係止片に挟まれた状態で前記フランジ部と共に軸方向に摺動するスライド係止部と、を有し、前記フランジ部には、前記リフィルの後端部が軸方向に移動可能に挿通された貫通孔が設けられており、前記収容状態においては、前記スライド係止部により前記一対の係止片を拡開させて前記リフィルの後端部を両係止片間に受け入れるとともに、前記コイルスプリングの力で前記リフィルを前記収容時リフィル当接部に当接させた状態に保ち、前記筆記状態においては、前記スライド係止部による前記一対の係止片の拡開が解除されることにより、前記リフィルを前記筆記時リフィル当接部に当接させた状態に保つように構成したことを特徴とする。
【０００８】
上記のように構成された筆記具は、筆記具自体を軸方向に振って錘を第一の錘衝突部に衝突させることにより、リフィルの先端部がボディの先端から突出した筆記状態にすることができる。筆記状態においては、スライド係止部による一対の係止片の拡開が解除されることにより、リフィルが筆記時リフィル当接部に当接した状態に保たれる。一方、錘を第二の錘衝突部に衝突させることにより、リフィルの先端部がボディ内に収容された収容状態にすることができる。収容状態においては、スライド係止部により一対の係止片を拡開させてリフィルの後端部を両係止片間に受け入れるとともに、コイルスプリングの力でリフィルが収容時リフィル当接部に当接した状態に保たれる。このように、収容状態においては、コイルスプリングの力でリフィルが収容時リフィル当接部に当接した状態に保たれることにより、筆記具が不必要に筆記状態になってしまうのを防止できる。
【０００９】
請求項２の筆記具は、請求項１の筆記具において、前記リフィル進退切替機構を構成する前記固定部材及び前記可動部材は、ポリアセタール樹脂からなる成形品であり、前記スライド係止部は、前記フランジ部の径方向外側両端部から前記収容時リフィル当接部側に延びる一対の係合片を有し、前記一対の係止片の先端部には、互いに近接する側に膨出して対向するとともに各係止片の幅方向両側に張り出して前記一対の係合片と摺接する係止突部が設けられており、前記一対の係合片は、前記筆記状態のときに前記係止突部に係止される係合部と、前記係止突部と摺接するテーパ部とを有し、前記係止突部の前記テーパ部との摺接面は、前記固定部材と前記可動部材との相対的移動方向に曲率を有する凸曲面になっており、前記可動部材が前記固定部材の前記収容時リフィル当接部側に押されることにより、前記テーパ部が前記係止突部に対して摺動しつつ前記一対の係止片を拡開させ、前記筆記時リフィル当接部に当接している前記リフィルの後端部を両係止片間に受け入れ可能とする。
【００１０】
上記のように構成された筆記具は、リフィル進退切替機構を構成する固定部材及び可動部材が、それぞれポリアセタール樹脂からなる成形品であることにより、固定部材及び可動部材に高い自己潤滑性及びばね性を持たせることができ、且つ、係止突部と摺接するテーパ部が一対の係合片に形成され、係止突部のテーパ部との摺接面が、固定部材と可動部材との相対的移動方向に曲率を有する凸曲面になっているので、係止突部に対するテーパ部の摺動が円滑化される。これにより、固定部材に対する可動部材の進退動作に伴う一対の係止片の拡開・縮閉動作が円滑に行われるようになり、筆記状態と収容状態との円滑な切り替えが実現される。
【００１１】
請求項３のリフィル進退切替機構は、筒状のボディと、前記ボディ内に軸方向に移動可能に収容された円柱状のリフィルと、前記リフィルを前記ボディの後端側に常時付勢するべく前記ボディ内の先端側に設けられたコイルスプリングと、前記リフィルの軸方向の中間部に固定された第一の錘衝突部と、前記ボディ内の後端部に設けられた第二の錘衝突部と、前記第一の錘衝突部と前記第二の錘衝突部との間に軸方向に移動可能に設けられた錘とを備え、前記錘を前記第一の錘衝突部に衝突させることにより、前記リフィルの先端部が前記ボディの先端から突出した筆記状態にするとともに、前記錘を前記第二の錘衝突部に衝突させることにより、前記リフィルの先端部が前記ボディ内に収容された収容状態にすることを可能にした筆記具に装備されるリフィル進退切替機構であって、前記ボディ内の後端部に固定された固定部材と、前記固定部材に対して軸方向に移動可能に係合した可動部材と、を有し、前記固定部材は、前記収容状態のときに前記リフィルの後端が当接する収容時リフィル当接部と、前記筆記状態のときに前記リフィルの後端が当接する筆記時リフィル当接部と、を有し、前記筆記時リフィル当接部は、前記収容時リフィル当接部から前記ボディの先端側に延び且つ前記ボディの径方向に弾力的に拡開可能に形成された一対の係止片の先端部により構成され、前記可動部材は、前記第二の錘衝突部として機能するフランジ部と、前記一対の係止片に挟まれた状態で前記フランジ部と共に軸方向に摺動するスライド係止部と、を有し、前記フランジ部には、前記リフィルの後端部が軸方向に移動可能に挿通された貫通孔が設けられており、前記収容状態においては、前記スライド係止部により前記一対の係止片を拡開させて前記リフィルの後端部を両係止片間に受け入れるとともに、前記コイルスプリングの力で前記リフィルを前記リフィル当接部に当接させた状態に保ち、前記筆記状態においては、前記スライド係止部による前記一対の係止片の拡開が解除されることにより、前記リフィルを前記筆記時リフィル当接部に当接させた状態に保つように構成したことを特徴とする。
【００１２】
上記のように構成されたリフィル進退切替機構は、筆記具を軸方向に振って錘を第一の錘衝突部に衝突させることにより、リフィルの先端部がボディの先端から突出した筆記状態にすることができる。筆記状態においては、スライド係止部による一対の係止片の拡開が解除されることにより、リフィルが筆記時リフィル当接部に当接した状態に保たれる。一方、錘を第二の錘衝突部に衝突させることにより、リフィルの先端部がボディ内に収容された収容状態にすることができる。収容状態においては、スライド係止部により一対の係止片を拡開させてリフィルの後端部を両係止片間に受け入れるとともに、コイルスプリングの力でリフィルが収容時リフィル当接部に当接した状態に保たれる。このように、収容状態においては、コイルスプリングの力でリフィルが収容時リフィル当接部に当接した状態に保たれることにより、筆記具が不必要に筆記状態になってしまうのを防止できる。
【００１３】
請求項４のリフィル進退切替機構は、請求項３のリフィル進退切替機構において、前記固定部材及び前記可動部材は、それぞれポリアセタール樹脂からなる成形品であり、前記スライド係止部は、前記フランジ部の径方向外側両端部から前記収容時リフィル当接部側に延びる一対の係合片を有し、前記一対の係止片の先端部には、互いに近接する側に膨出して対向するとともに各係止片の幅方向両側に張り出して前記一対の係合片と摺接する係止突部が設けられており、前記一対の係合片は、前記筆記状態のときに前記係止突部に係止される係合部と、前記係止突部と摺接するテーパ部とを有し、前記係止突部の前記テーパ部との摺接面は、前記固定部材と前記可動部材との相対的移動方向に曲率を有する凸曲面になっており、前記可動部材が前記固定部材の前記収容時リフィル当接部側に押されることにより、前記テーパ部が前記係止突部に対して摺動しつつ前記一対の係止片を拡開させ、前記筆記時リフィル当接部に当接している前記リフィルの後端部を両係止片間に受け入れ可能とする。
【００１４】
上記のように構成されたリフィル進退切替機構は、固定部材及び可動部材が、それぞれポリアセタール樹脂からなる成形品であることにより、固定部材及び可動部材に高い自己潤滑性及びばね性を持たせることができ、且つ、係止突部と摺接するテーパ部が一対の係合片に形成され、係止突部のテーパ部との摺接面が、固定部材と可動部材との相対的移動方向に曲率を有する凸曲面になっているので、係止突部に対するテーパ部の摺動が円滑化される。これにより、固定部材に対する可動部材の進退動作に伴う一対の係止片の拡開・縮閉動作が円滑に行われるようになり、筆記状態と収容状態との円滑な切り替えが実現される。
【考案の効果】
【００１５】
請求項１の筆記具によれば、軸方向に振るだけで簡単に筆記状態にすることができ、且つ、収容状態においては、コイルスプリングの力でリフィルが収容時リフィル当接部に当接した状態に保たれるので、収容状態にした筆記具が少しの振動で筆記状態になってしまうのを防止できる。
【００１６】
請求項２の筆記具によれば、筆記状態と収容状態との円滑な切り替えを実現しつつ、収容状態にした筆記具が少しの振動で筆記状態になってしまうのを防止できる。
【００１７】
請求項３のリフィル進退切替機構によれば、これを筆記具に装備することにより、請求項１の筆記具を実現できる。
【００１８】
請求項４のリフィル進退切替機構によれば、これを筆記具に装備することにより、請求項２の筆記具を実現できる。
【図面の簡単な説明】
【００１９】
【図１】一実施形態の筆記具の筆記状態を例示する縦断面図である。
【図２】一実施形態の筆記具の筆記状態を例示する要部斜視図である。
【図３】一実施形態の筆記具の収納状態を例示する縦断面図である。
【図４】一実施形態の筆記具の収納状態を例示する要部斜視図である。
【図５】一実施形態の筆記具に装備されたリフィル進退切替機構の固定部材を例示する斜視図である。
【図６】一実施形態の筆記具に装備されたリフィル進退切替機構の可動部材を例示する斜視図である。
【考案を実施するための最良の形態】
【００２０】
以下、添付図面に基づき、本考案に係る筆記具をボールペンに適用した場合を例に説明する。
［構成］
図１及び図３に示すように、本実施の形態に係るボールペン１０は、筒状のボディ１１と、ボディ１１内に軸方向（矢印Ａで示す方向、以下同様）に移動可能に収容された円柱状のリフィル２０と、リフィル２０をボディ１１の後端１１ｂ側に常時付勢するべくボディ１１内の先端１１ａ側に設けられたコイルスプリング１２と、リフィル２０の軸方向の中間部に固定された第一の錘衝突部３１と、ボディ１１内の後端部に設けられた第二の錘衝突部３２と、第一の錘衝突部３１と第二の錘衝突部３２との間に軸方向に移動可能に設けられた錘４０とを備えている。
【００２１】
そして、ボールペン１０は、錘４０を第一の錘衝突部３１に衝突させることにより、リフィル２０の先端部２０ａがボディ１１の先端１１ａから突出した筆記状態（図１の状態）にするとともに、錘４０を第二の錘衝突部３２に衝突させることにより、リフィル２０の先端部２０ａがボディ１１内に収容された収容状態（図３の状態）にするための、リフィル進退切替機構（本考案に係るリフィル進退切替機構）５０を備えている。
【００２２】
コイルスプリング１２は、リフィル２０の先端部に伸縮自在に環装され、ボディ１１の先端１１ａ近傍の内壁とリフィル２０のスプリング止め２１との間に設けられている。
【００２３】
リフィル進退切替機構５０は、ボディ１１内の後端部に固定された固定部材６０と、固定部材６０に対して軸方向に移動可能に係合した可動部材７０と、を有する。固定部材６０及び可動部材７０は、ポリアセタール樹脂からなる成形品である。
【００２４】
固定部材６０は、収容状態のときにリフィル２０の後端２０ｂが当接する収容時リフィル当接部６２と（図４参照）、筆記状態のときにリフィル２０の後端２０ｂが当接する筆記時リフィル当接部６１（図２参照）と、を有する。
【００２５】
収容時リフィル当接部６２は、ボディ１１に固定される円板状の固定フランジ部６３の中央部により構成される。筆記時リフィル当接部６１は、固定フランジ部６３からボディ１１の先端１１ａ側に延び且つボディ１１の径方向（図１及び図２に矢印Ｂで示す方向）に弾力的に拡開可能に形成された一対の係止片６４の先端部により構成される。可動部材７０は、第二の錘衝突部３２として機能する可動フランジ部７１と、一対の係止片６４に挟まれた状態で可動フランジ部７１と共に軸方向に摺動するスライド係止部７２と、を有する。可動フランジ部７１の中心部には、リフィル２０の後端部が軸方向に移動可能に挿通された貫通孔７１ａが設けられている（図２参照）。
【００２６】
図２、図４及び図６に示すように、スライド係止部７２は、可動フランジ部７１の径方向外側両端部から収容時リフィル当接部６２側に延びる一対の係合片７３からなる。
【００２７】
図２、図４及び図５に示すように、一対の係止片６４の先端部には、互いに近接する側に膨出して対向するとともに各係止片６４の幅方向両側に張り出して一対の係合片７３と摺接する係止突部６５が設けられている。図２及び図５の状態、すなわち、可動部材７０の一対の係合片７３が後退状態のときにおける相対向する係止突部６５間の距離は、リフィル２０の直径よりも小さい。
【００２８】
図２及び図６に示すように、一対の係合片７３は、筆記状態のときに係止突部６５に係止される係合部７４と、係止突部６５と摺接するテーパ部７５とを有する。テーパ部７５は、可動フランジ部７１に近づくに従って径が拡大している。係止突部６５は、係止片６４のばね力でテーパ部７５に常時圧接している。
【００２９】
図４及び図５に示すように、筆記時リフィル当接部６１は、軸方向と直交する平坦面になっている。一方、係止突部６５のテーパ部７５との摺接面６５ａは、固定部材６０と可動部材７０との相対的移動方向すなわち軸方向に曲率を有する凸曲面になっている。
【００３０】
［作用］
上記のように構成されたボールペン１０は、ボールペン１０自体を軸方向に振って錘４０を第一の錘衝突部３１に衝突させることにより、図１に示すように、リフィル２０の先端部２０ａがボディ１１の先端１１ａから突出した筆記状態にすることができる。筆記状態においては、スライド係止部７２による一対の係止片６４の拡開が解除されることにより、リフィル２０が筆記時リフィル当接部６２に当接した状態に保たれる。一方、錘４０を第二の錘衝突部３２に衝突させることにより、図３に示すように、リフィル２０の先端部２０ａがボディ１１内に収容された収容状態にすることができる。収容状態においては、スライド係止部７２のテーパ部７５が一対の係止片６４の係止突部６５の間に侵入することで、一対の係止片６４を拡開させてリフィル２０の後端部を両係止片６４間に受け入れるとともに、コイルスプリング１２の力でリフィル２０が収容時リフィル当接部６２に当接した状態に保たれる。このように、収容状態においては、コイルスプリング１２の力でリフィル２０が収容時リフィル当接部６２に当接した状態に保たれることにより、ボールペン１０が不必要に筆記状態になるのを防止できる。
【００３１】
また、ボールペン１０は、リフィル進退切替機構５０を構成する固定部材６０及び可動部材７０が、ポリアセタール樹脂からなる成形品であることにより、固定部材６０及び可動部材７０に高い自己潤滑性及びばね性を持たせることができる。そして、係止突部６５のテーパ部７５との摺接面６５ａが、固定部材６０と可動部材７０との相対的移動方向に曲率を有する凸曲面になっているので、係止突部６５に対するテーパ部７５の摺動が円滑化される。これにより、固定部材６０に対する可動部材７０の進退動作に伴う一対の係止片６４の拡開・縮閉動作が円滑に行われるようになり、筆記状態と収容状態との円滑な切り替えが実現される。
【００３２】
［効果］
上記のように構成されたボールペン１０は、軸方向に振るだけで簡単に筆記状態にすることができ、且つ、収容状態においては、コイルスプリング１２の力でリフィル２０が収容時リフィル当接部６２に当接した状態に保たれるので、収容状態にしたボールペン１０が少しの振動で筆記状態になってしまうのを防止できるという効果を奏する。
【００３３】
また、上記のように構成されたボールペン１０は、リフィル進退切替機構５０を構成する固定部材６０及び可動部材７０に、高い自己潤滑性及びばね性を有するポリアセタール樹脂からなる成形品を用いるとともに、固定部材６０及び可動部材７０の互いの摺動が円滑になされる構造を採用したので、筆記状態と収容状態との円滑な切り替えを実現しつつ、収容状態にしたボールペン１０が少しの振動で筆記状態になってしまうのを防止できるという効果を奏する。
【００３４】
なお、本考案は上記実施形態に限定されない。例えば、上記実施形態では、本考案にかかる筆記具をボールペンに適用した場合を例示したが、その他の筆記具にも適用可能である。また、上記実施形態では、本考案に係るリフィル進退切替機構をボールペンに装備した場合を例示したが、その他の筆記具に装備することも適用可能である。
【符号の説明】
【００３５】
１０  ボールペン（筆記具）
１１  ボディ
１１ａ  先端
１１ｂ  後端
１２  コイルスプリング
２０  リフィル
３１  第一の錘衝突部
３２  第二の錘衝突部
４０  錘
５０  リフィル進退切替機構
６０  固定部材
７０  可動部材
６１  筆記時リフィル当接部
６２  収容時リフィル当接部
６３  固定フランジ部
６４  係止片
６５  係止突部
６５ａ  摺接面
７１  可動フランジ部（フランジ部）
７１ａ  貫通孔
７２  スライド係止部
７３  係合片
７４  係合部
７５  テーパ部
【図１】
0003230784.tif 000003
【図２】
0003230784.tif 000004
【図３】
0003230784.tif 000005
【図４】
0003230784.tif 000006
【図５】
0003230784.tif 000007
【図６】
0003230784.tif 000008